(57)【要約】【課題】カメラ付ドアホン子器で撮影が開始されてからその来客映像がインターホン無線増設親機に表示され始めるまでの遅延時間を短縮することができ、更に、そのような機能を有する複数モードから所望のモードを選択できる無線対応型インターホンシステムを提供する。【解決手段】カメラ付きドアホン子器１で撮影が開始されてからその来客映像を表示する遅延時間を短縮化する第１〜３のモードを、選択操作により選択的に実行可能とするモード選択スイッチを設けている。【選択図】図１
2006311114.tif 000002
【特許請求の範囲】
【請求項１】
インターホン親機にカメラ付きドアホン子器を信号線で接続し、更に該インターホン親機に無線アダプタを別の信号線で接続して、上記無線アダプタとの間で無線通信を行うインターホン無線増設親機を付加して構成された無線対応型インターホンシステムであって、
上記インターホン親機は、
上記カメラ付きドアホン子器によって撮影され、該ドアホン子器から受信した上記無線アダプタに送出すべき映像信号を圧縮映像信号に変換する映像圧縮手段と、
この映像圧縮手段による映像圧縮率を制御する圧縮率制御手段と、
上記カメラ付ドアホン子器を定期的に駆動させて撮影動作をさせ、これに基づく映像信号を上記無線アダプタに転送する映像定期取得転送手段とを備え、
上記無線アダプタは、
上記カメラ付きドアホン子器とは接続せずに、上記親機に有線接続され、
上記親機から、少なくとも、カメラ付きドアホン子器の呼出操作に基づく映像信号を受信し、無線信号に変換する信号受信変換処理を行う第１伝送処理部と、上記無線アダプタとの間で通話呼出処理を行うとともに、これに対する応答があったときには、上記第１伝送部によって変換された無線信号を、上記インターホン無線増設親機に送出する第２伝送処理部と、
上記インターホン親機の映像定期取得転送手段から映像信号を受信する毎に、更新記憶するバックアップ映像記憶手段とを備えて構成され、
上記カメラ付きドアホン子器の呼出操作に基づく映像信号を受信したときには、無線信号に変換する信号受信変換処理を行う第１伝送処理部の処理と、上記無線アダプタとの間で通話呼出処理を行う第２伝送処理部の処理とを、並列的に実行開始させる伝送並列処理を行うことを特徴としており、
以下の第１〜第３モードの実行を選択的に指定するモード選択スイッチを備えて、このモード選択スイッチにおける選択操作により、上記伝送並列処理に加えて、更に、
第１モード：上記インターホン親機の上記圧縮率制御手段によって、上記映像圧縮手段の映像圧縮の圧縮率を、少なくとも映像信号の第１フレームより以降のフレームに対する所定の圧縮率よりも高くなるように制御するモード
第２モード：上記インターホン親機の上記圧縮率制御手段によって、上記映像圧縮手段の映像圧縮の圧縮率を、映像信号の第１フレームから、以降のフレームになるほど段階的に小さくして、所定の圧縮率になるように制御するモード
第３モード：上記インターホン親機の映像定期取得転送手段は、上記カメラ付ドアホン子器を定期的に駆動させて撮影動作をさせ、これに基づく映像信号を上記無線アダプタに転送する一方、上記無線アダプタは、この映像定期取得転送手段から、上記カメラ付ドアホン子器の呼出操作に基づく映像信号を受信する毎に、バックアップ映像記憶手段に更新記憶し、上記インターホン親機より受信した、カメラ付ドアホン子器の呼出操作に基づく映像信号を上記第２伝送部より送出する前に、上記バックアップ映像記憶手段に記憶している最新の更新画像を表す映像信号を、上記第２伝送部より上記無線アダプタに送出するモード
のいずれかを選択的に実行可能としている、無線対応型インターホンシステム。
【請求項２】
インターホン親機にカメラ付きドアホン子器を信号線で接続し、更に該インターホン親機に無線アダプタを別の信号線で接続して、上記無線アダプタとの間で無線通信を行うインターホン無線増設親機を付加して構成された無線対応型インターホンシステムであって、
上記インターホン親機は、少なくとも、
上記カメラ付ドアホン子器を定期的に駆動させて撮影動作をさせ、これに基づく音声信号、映像信号を上記無線アダプタに転送する映像定期取得転送手段を備え、
上記無線アダプタは、少なくとも、
上記カメラ付きドアホン子器が呼出操作に応じて撮影した映像信号を、上記インターホン親機から受信して、無線フォーマット信号に変換する映像信号変換処理を行う第１伝送処理部と、
上記第１伝送処理部に蓄積された無線フォーマット信号を、上記インターホン無線増設親機に無線送出する第２伝送処理部と、
固定画が予め記憶された固定画記憶手段と、
上記インターホン親機の映像定期取得転送手段から映像信号を受信する毎に、更新記憶するバックアップ映像記憶手段とを備え、
上記カメラ付きドアホン子器の呼出操作に基づく映像信号を受信したときには、無線信号に変換する信号受信変換処理を行う第１伝送処理部の処理と、上記無線アダプタとの間で通話呼出処理を行う第２伝送処理部の処理とを、並列的に実行開始させる伝送並列処理を行うことを特徴としており、
以下の第１〜第２モードの実行を選択的に指定するモード選択スイッチを備えて、このモード選択スイッチにおける選択操作により、上記伝送並列処理に加えて、更に、
第１モード：上記無線アダプタにおいて、カメラ付きドアホン子器の呼出操作に応じて撮影された映像信号の少なくとも第１フレームを該映像信号変換処理して無線送出するまでの間は、上記固定画記憶手段から上記固定画を読み出して、上記無線フォーマット信号として無線送出させるモード
第２モード：インターホン親機の定期取得転送手段は、上記カメラ付ドアホン子器を定期的に駆動させて撮影動作をさせ、これに基づく映像信号を上記無線アダプタに転送する一方、
上記無線アダプタは、この定期取得転送手段から映像信号を受信する毎に、バックアップ映像記憶手段に更新記憶し、上記カメラ付きドアホン子器の呼出操作に基づく呼出信号をインターホン親機から受信したときには、上記インターホン親機より受信した、カメラ付ドアホン子器の呼出操作に基づく映像信号を上記第２伝送部より送出する前に、上記バックアップ映像記憶手段に記憶している最新の更新画像を表す映像信号を、上記第２伝送部より上記無線アダプタに送出するモード
のいずれかを選択的に実行可能としている、無線対応型インターホンシステム。
【請求項３】
インターホン親機にカメラ付きドアホン子器を信号線で接続し、更に該インターホン親機に無線アダプタを別の信号線で接続して、上記無線アダプタとの間で無線通信を行うインターホン無線増設親機を付加して構成された無線対応型インターホンシステムであって、
上記インターホン親機は、少なくとも、
上記カメラ付ドアホン子器を定期的に駆動させて撮影動作をさせ、これに基づく映像信号を上記無線アダプタに転送する映像定期取得転送手段を備え、
上記無線アダプタは、少なくとも、
上記カメラ付きドアホン子器が呼出操作に応じて撮影した映像信号を、上記インターホン親機から受信して、無線フォーマット信号に変換する映像信号変換処理を行う第１伝送処理部と、
上記第１伝送処理部に蓄積された無線フォーマット信号を、上記インターホン無線増設親機に無線送出する第２伝送処理部と、
上記インターホン親機の映像定期取得転送手段から映像信号を受信する毎に、更新記憶するバックアップ映像記憶手段とを備え、
上記カメラ付きドアホン子器の呼出操作に基づく音声信号、映像信号を受信したときには、無線信号に変換する信号受信変換処理を行う第１伝送処理部の処理と、上記無線アダプタとの間で通話呼出処理を行う第２伝送処理部の処理とを、並列的に実行開始させる伝送並列処理を行う構成としており、
上記インターホン無線増設親機は、少なくとも、
固定画が予め記憶された固定画記憶手段と、
上記無線アダプタから通話呼出されたあと、上記カメラ付きドアホン子器が呼出操作に応じて撮影した映像信号の少なくとも第１フレームを無線受信するまでは、上記固定画記憶手段から上記固定画を読み出して、映像として表示させる映像表示制御手段とを備えて構成され、
以下の第１〜第２モードの実行を選択的に指定するモード選択スイッチを備えて、このモード選択スイッチにおける選択操作により、上記伝送並列処理に加えて、更に、
第１モード：上記インターホン無線増設親機において、上記無線アダプタから通話呼出されたあと、上記カメラ付きドアホン子器が呼出操作に応じて撮影した映像信号の少なくとも第１フレームを無線受信するまでは、上記固定画記憶手段から上記固定画を読み出して、映像として表示させるモード
第２モード：インターホン親機の音声／映像定期取得転送手段は、上記カメラ付ドアホン子器を定期的に駆動させて、集音と撮影動作をさせ、これに基づく音声信号、映像信号を上記無線アダプタに転送する一方、  
上記無線アダプタは、この映像定期取得転送手段から映像信号を受信する毎に、バックアップ映像記憶手段に更新記憶し、上記インターホン親機より受信した、カメラ付ドアホン子器の呼出操作に基づく映像信号を上記第２伝送部より送出する前に、上記バックアップ映像記憶手段に記憶している最新の更新画像を表す映像信号を、上記第２伝送部より送出するモード
のいずれかを選択的に実行する可能としている無線対応型インターホンシステム。
【請求項４】
請求項２、３において、
上記インターホン親機は、少なくとも、
カメラ付きドアホン子器の呼出操作に基づく映像信号を圧縮映像信号に変換する映像圧縮手段と、
この映像圧縮手段による圧縮率を制御する圧縮率制御手段とを備えて、上記映像圧縮手段で圧縮した映像信号を上記無線アダプタに送出する構成としており、
上記圧縮率制御手段は、
上記映像圧縮の圧縮率を、少なくとも映像信号の第１フレーム分の映像を、予め定められた圧縮率により圧縮させ、以降のフレームについては、その圧縮率より低い圧縮率で映像信号を圧縮させることを特徴とする無線対応型インターホンシステム。
【請求項５】
請求項２，３において、
上記インターホン親機は、少なくとも、
カメラ付ドアホン子器の呼出操作に基づく映像信号を圧縮映像信号に変換する映像圧縮手段と、この映像圧縮手段による圧縮率を制御する圧縮率制御手段とを備えて、上記映像圧縮手段で圧縮した映像信号を上記無線アダプタに送出する構成としており、
上記圧縮率制御手段は、上記映像圧縮手段による圧縮率を、映像信号の第１フレームから段階的に小さくして、所定の圧縮率になるように制御することを特徴とする無線対応型インターホンシステム。
【請求項６】
請求項１において、
上記無線アダプタは、固定画記憶手段を更に備えており、上記モード選択スイッチの操作によって、上記伝送並列処理に加えて、更に、以下の第４モード
第４モード：上記カメラ付ドアホン子器の呼出操作に応じて撮影された映像信号の少なくとも第１フレームを該映像信号変換処理して無線送出するまでの間は、上記固定画記憶手段から上記固定画を読み出して、上記無線フォーマット信号として無線送出させる無線対応型インターホンシステム。
【請求項７】
請求項１において、
上記インターホン無線増設親機は、固定画記憶手段と映像表示制御手段とを更に備えており、上記モード選択スイッチの操作によって、上記伝送並列処理に加えて、更に、以下の第５モード
第５モード：上記インターホン無線増設親機において、上記無線アダプタから通話呼出されたあと、上記カメラ付きドアホン子器が呼出操作に応じて撮影した映像信号の少なくとも第１フレームを無線受信するまでは、上記固定画記憶手段から上記固定画を読み出して、映像として表示させるモードを選択的に実行可能とした無線対応型インターホンシステム。
【発明の詳細な説明】
【技術分野】
【０００１】
本発明は、カメラ付ドアホン子器とインターホン親機とを信号線で接続し、更に該インターホン親機に無線アダプタを接続して、インターホン無線増設親機を付加して構成された、無線対応型インターホンシステムの改良に関する。
【背景技術】
【０００２】
この種の無線対応型インターホンシステムは、一戸建住宅などで使用されている。
【０００３】
下記特許文献１は、この種の無線対応型インターホンシステムを開示しており、カメラ付ドアホン子器を２線式信号線で接続したインターホン親機と、このインターホン親機と有線接続された無線アダプタと、この無線アダプタとの間で無線信号の送受をすることにより、インターホン親機との間で信号送受を行うインターホン副親機とで構成されている。
【０００４】
図９は、この種の無線対応型インターホンシステムの動作を示すタイムチャートである。なお、図では、転送、圧縮、フォーマット変換の対象は画像データのみを示しているが、実際には、カメラ付ドアホン子器により集音された音声信号も含まれる。
【０００５】
また、特許文献１のインターホン副親機の代わりに、インターホン無線増設親機を備えている。
【０００６】
このシステムでは、カメラ付ドアホン子器の呼出釦が操作されたときには、インターホン親機から駆動電源の給電を受けてカメラを駆動させ来客映像を撮影して、画像データを映像信号の形でインターホン無線増設親機に転送する。
【０００７】
転送を受けたインターホン親機では、画像データを圧縮し、無線アダプタに転送する。転送を受けた無線アダプタでは、画像データを無線信号にフォーマット変換をし、画像データを蓄積する信号受信変換処理を行う。
【０００８】
信号受信変換処理において画像データの少なくとも１フレーム分の蓄積が完了すると、無線アダプタは、インターホン副親機との間で通話呼出処理を行う。すなわち、呼信号を送出し、応答を待つ。そして、応答があれば、インターホン無線増設親機との通信条件が確立され、通話呼出信号を送出し、次の通話呼出処理を行う。
【０００９】
この通話呼出処理では、インターホン無線増設親機の応答があれば、蓄積が完了した画像データをインターホン無線増設親機に送出し、これを受けたインターホン無線増設親機は、送出された画像データを伸長し、モニタに表示する。
図１０、１１は、この種の無線対応型インターホンシステムにおける無線アダプタ、インターホン無線増設親機のそれぞれの動作を示すフローチャートである。
【００１０】
図１０のフローチャートは、無線アダプタの動作を示している。
【００１１】
無線アダプタは、電源が入力されているときに（６００）、インターホン親機から呼出信号を受信すると（６０１）、インターホン親機から映像信号を受信し無線信号にフォーマット変換し蓄積をする信号受信変換処理を行う（６０２）。
【００１２】
少なくとも１フレーム分の蓄積が完了すると（６０３）、インターホン無線増設親機との通話呼出処理を行う（６０５〜６０７）。通話呼出処理の詳細については先述しているので説明を省略するが、それぞれの応答待ちの間に、所定時間経過しても（６０８，６１０）、応答が来ない場合には、インターホン親機に不在を返信する（６０９，６１１）。
【００１３】
一方、通話呼出処理に対する応答があったときには、蓄積しておいた画像データをインターホン無線増設親機に送出する（６１２）。
【００１４】
図１１のフローチャートは、インターホン無線増設親機の動作を示している。
【００１５】
インターホン無線増設親機は、無線アダプタとの間で先述の通話呼出処理を行い（７００〜７０３）、無線アダプタから送出された通話呼出信号に基づいて呼出音を出力する（７０４）。
【００１６】
ついで、所定時間の間に無線アダプタからの映像信号を送出されてきたときには、これを受信する（７０６、７０７）。
【特許文献１】特開２０００−２２４３１６号公報
【発明の開示】
【発明が解決しようとする課題】
【００１７】
ところで、このようなシステムでは、インターホン親機から無線アダプタ間への画像データは、信号線で伝送されているため、インターホン親機から直接無線信号を無線増設親機に伝送するシステムと比較すると、伝送速度が一般的に遅くなっており、このことは、信号線の回線容量が小さく、画像データの容量が大きいときに顕著となる。
【００１８】
更に、この種のシステムでは、無線アダプタは、インターホン親機からの画像データの蓄積を行う信号受信変換処理が、少なくとも１フレーム分完了した後に、インターホン無線増設親機と通話呼出処理を行い、応答があれば蓄積した画像データを送出するようにしているので、結果として、カメラ付ドアホン子器で呼出操作され、来客映像が撮影されてから、その来客映像がインターホン無線増設親機に表示され始めるまでの遅延時間もあり、これらによって、無線増設親機では、インターホン親機で来客の呼出を検出し、呼出チャイムを鳴動させてから相当な時間遅れを生じた後に、来客映像が表示されるため、応答側であるインターホン無線増設親機側では、システム動作に故障を連想させるような不安と、じれったさを与えている。
【００１９】
本発明は、このような問題を解決するために提案され、カメラ付ドアホン子器で撮影が開始されてからその来客映像がインターホン無線増設親機に表示され始めるまでの遅延時間を短縮することができ、更に、そのような機能を有する複数モードから所望のモードを選択できる無線対応型インターホンシステムを提供することを目的とする。
【課題を解決するための手段】
【００２０】
上記目的を達成するため、以下の第１、２の本発明を提案する。なお、それぞれの請求項１〜７において、第１〜５モードをそれぞれ独立して規定している。
【００２１】
第１本発明は、請求項１，６，７で提案されている。
【００２２】
請求項１は、モード選択スイッチにおける選択操作により、伝送並列処理に加えて第１〜３のモードを選択的に実行できるようにしている。
【００２３】
請求項６は、請求項１の第１〜３モードの他にも、カメラ付ドアホン子器の呼出操作に応じて撮影された映像信号の少なくとも第１フレームを映像信号変換処理して無線送出するまでの間は、固定画記憶手段から固定画を読み出して無線フォーマット信号として無線送出させるモードが実行できるようにしている。
【００２４】
請求項７は、請求項１の第１〜３モードの他にも、インターホン無線増設親機において、上記無線アダプタから通話呼出されたあと、上記カメラ付きドアホン子器が呼出操作に応じて撮影した映像信号の少なくとも第１フレームを無線受信するまでは、上記固定画記憶手段から上記固定画を読み出して、映像として表示させるモードを選択的に実行可能としている。
【００２５】
第２本発明は、請求項２〜５で提案されている。
【００２６】
請求項２、３は、モード選択スイッチの選択操作により、伝送並列処理に加えて第１〜２のモードを選択的に実行できるようにしている。
【００２７】
請求項４は、請求項２，３の第１，２モードの実行をする際には、映像圧縮の圧縮率を、少なくとも映像信号の第１フレーム分の映像を、予め定められた圧縮率により圧縮させ、以降のフレームについては、その圧縮率より低い圧縮率で映像信号を圧縮させる。
請求項５は、請求項２，３の第１，２モードの実行をする際には、映像圧縮手段による圧縮率を、映像信号の第１フレームから段階的に小さくして、所定の圧縮率になるように制御する。
【発明の効果】
【００２８】
本発明によれば、以下の効果を奏する。
【００２９】
請求項１によれば、来客映像がインターホン無線増設親機に表示され始めるまでの遅延時間を短縮できる上、第１〜３のモードからユーザの所望に応じて機能を選択できるため、汎用性が高い。
【００３０】
請求項２、３によれば、来客映像がインターホン無線増設親機に表示され始めるまでの遅延時間を短縮できる上、第１，２のモードからユーザの所望に応じて機能を選択でき、汎用性が高い。
【００３１】
請求項４によれば、インターホン親機では、無線アダプタに送出する画像データの少なくとも最初の１フレーム分の圧縮率を、以降のフレーム分の画像データの圧縮率よりも高くするので、最初の１フレーム分の画像データをより迅速にインターホン無線増設親機に表示させることができる。
【００３２】
請求項５によれば、インターホン親機では、無線アダプタに送出する画像データの圧縮率をフレーム毎に段階的に小さくしていくため、最初の１フレーム分の画像データについてはインターホン無線増設親機における表示遅延時間の短縮ができ、徐々に画像データが鮮明に表示されてゆくという利点がある。
【００３３】
請求項６、７によれば、更に第４モードを選択的に実行可能なため、ユーザの選択枝が広がる。
【発明を実施するための最良の形態】
【００３４】
以下に、本発明の実施の形態について説明する。なお、ここではインターホン親機としてテレビインターホン親機を用いているが、モニタのないインターホン親機を用いることもできる。
【実施例１】
【００３５】
図１は、第１の本発明システムの基本構成の一例を示す図である。
【００３６】
第１の本発明に係るシステムでは、カメラ付ドアホン子器１、インターホン親機２、無線アダプタ３は、２線式信号線などで構成された信号線Ｌ１，Ｌ２を通じて渡り配線で接続されている。そして、インターホン無線増設親機４を設けて、無線アダプタ３との間で、制御信号、音声信号、映像信号の送受を無線信号で行うようになっている。
【００３７】
このような構成において、インターホン親機２は、カメラ付ドアホン子器から送出される映像信号を圧縮率制御手段２１の制御を受けて圧縮する映像圧縮手段２０、圧縮率制御手段２１、定期的にカメラ付ドアホン子器１を駆動させ、カメラ付ドアホン子器１で撮影された映像信号、カメラ付ドアホン子器１で集音された音声信号を受信して、無線アダプタ３に転送する映像定期取得転送手段２２を備えている。
【００３８】
無線アダプタ３は、先述した映像信号受信変換処理を行う第１伝送処理部３０、無線アダプタ３との間で先述した通話呼出処理を行い、応答があれば、第１伝送処理部３０に蓄積した映像信号を無線アダプタ３に無線送出する第２伝送処理部３１、この無線アダプタ３を制御するアダプタ制御手段３２、インターホン親機２の転送手段２２から受信した音声信号、映像信号をバックアップ用として記憶するバックアップ映像記憶手段３３、所定の固定画を記憶する固定画記憶手段３４を備えている。
【００３９】
なお、第１伝送処理部３０，第２伝送処理部３１は、１チップＣＰＵで構成することもできる。
【００４０】
インターホン無線増設親機４は、所定の固定画を記憶する固定画記憶手段４０、固定画記憶手段４０から固定画を読み出して表示させる映像表示制御手段４５を備えている。
【００４１】
更に、それぞれの構成要素について詳述する。
【００４２】
カメラ付ドアホン子器１は、信号処理部１０、カメラ１１、呼出釦１２、スピーカＳＰ、スピーカＳＰに入力すべき音声信号のレベルの増幅を行うスピーカアンプＡ１、マイクＳＰを通じて入力される音声信号のレベルの増幅を行うマイクアンプＡ２を備えている。
【００４３】
インターホン親機２は、映像圧縮手段２０、圧縮率制御手段２１、音声／映像定期取得転送手段２２を有する信号処理部２３、スピーカＳＰ、マイクＭＩＣ、スピーカアンプＡ１、マイクアンプＡ２、液晶画面などで構成されるモニタ２４、モード選択スイッチ２６を有する操作釦２５を備えている。
【００４４】
無線アダプタ３は、第１伝送処理部３０、第２伝送処理部３１、バックアップ音声／映像記憶手段３３、固定画記憶手段３４、操作釦３５、アダプタ制御手段３２を有する信号処理部３６を備えている。
【００４５】
インターホン無線増設親機４は、固定画記憶手段４０、無線通信部４１、信号処理部４２、モニタ４３、操作釦４４、映像表示制御手段４５、スピーカＳＰ、マイクＭＩＣ、スピーカアンプＡ１、マイクアンプＡ２を備えている。
【００４６】
このような構成にあって、第１〜４モードに共通して、以下の伝送並列処理を行う。
【００４７】
（伝送並列処理の実行）
図２は、このような伝送並列処理の基本動作を示すタイムチャートである。
すなわち、カメラ付ドアホン子器１での呼出があれば、信号線Ｌの電圧値が変動するので、この変動をインターホン親機２が検知し、呼出を受けたことを認識する。
【００４８】
すると、インターホン親機２は呼出動作をするとともに、カメラ付ドアホン子器１の駆動電源を供給してカメラを駆動させ、呼出信号を無線アダプタ３に送出する。
無線アダプタ３は、第１伝送処理部３０により、インターホン親機２から受信した、カメラ付ドアホン子器１により撮影された映像信号を無線信号の形にフォーマット変換して蓄積する信号受信変換処理を行う。
ここで、無線信号の形にフォーマット変換する無線フォーマット変換では、映像信号のフレームを分割するブロック化や、ヘッダ付与などを含むフォーマット変換をしている。これとともに、インターホン親機２から受信した呼出信号に基づいて、第２伝送処理部３１により、インターホン無線増設親機４との間で通話呼出処理を行い、応答があれば、第１伝送処理部３０に蓄積した映像信号をインターホン無線増設親機４に送出する。
インターホン無線増設親機４は、無線アダプタ３との通話呼出処理で応答して呼出音を出力する。これとともに、無線アダプタ３から受信した映像信号に基づいて、来客映像をモニタに表示する。
なお、無線増設親機４との無線通信では、映像信号は片方向、音声信号は両方向で、周波数多重化した無線信号として伝送してもよく、音声を別チャネルとして伝送してもよい。また、音声については、従来の無線伝送方式を採用することもできる。
なお、カメラ付ドアホン子器１、インターホン親機２の動作については、従来の技術の説明で示した図１０と同様であるため、説明を省略する。
【００４９】
図３のフローチャートは、無線アダプタ３の基本動作の一例を示している。なお、インターホン無線増設親機４の基本動作は、図１１のフローチャートと同様であるので説明を省略する。
【００５０】
無線アダプタ３は、電源が入っている状態で（１００）、インターホン親機２から、カメラ付ドアホン子器１の呼出操作に基づく呼出信号を受信したときには、第２伝送処理部３１により通話呼出処理を開始して、インターホン無線増設親機４に呼信号を送出する（１０３）。これとともに、第１伝送処理部３０により、インターホン親機２から送出される映像信号を受信し、無線信号に変換して蓄積する信号受信変換処理を行う（１０２）。
【００５１】
第２伝送処理部３１において、呼信号に対する応答、通話呼出信号に対する応答（１０４〜１０６）がそれぞれ所定時間内（１０７，１０９）にあれば、第１伝送処理部３０において映像信号の少なくとも１フレーム分の蓄積が完了しているか判断し（１１１）、完了していれば、第１伝送処理部３０に蓄積しておいた映像信号をインターホン無線増設親機４に送出する（１１２）。
なお、呼信号、通話呼出信号のそれぞれに対する応答が所定時間内に得られない場合には、インターホン親機２に不在を返信する（１０８、１１０）。
このような伝送並列処理を基本機能とする第１の本発明において、先述したように、インターホン親機２にはモード選択スイッチ２６の選択操作により、伝送並列処理を行った上で、以下の第１〜第３モードの実行を選択的に行うことができる。
（第１モードの実行）
以下、第１モードの実行について説明する。
インターホン親機２のモード選択スイッチ２６を操作して第１モードを選択すると、圧縮率制御手段２１により、映像圧縮の圧縮率を、図４のフローチャートに示すように制御する。
すなわち、インターホン親機２では、無線アダプタ３に送出する映像信号を映像圧縮手段２０で圧縮するのであるが、その際、１フレーム目の映像信号（２００）は高圧縮率で圧縮し（２０１）、それ以降の映像信号は、所定の圧縮率で圧縮する（２０２）。
これにより、伝送並列処理を行うときよりも更に早く、インターホン無線増設親機４で来客映像が表示される。
（第２モードの実行）
以下、第２モードの実行について説明する。
インターホン親機２のモード選択スイッチ２６を操作して第２モードを選択すると、圧縮率制御手段２１により、映像圧縮の圧縮率を、図５のフローチャートに示すように制御する。
【００５２】
すなわり、１フレーム目の映像信号は高圧縮率で圧縮するが（３００，３０１）、それ以降の映像信号（２〜ｎ−１フレーム：ｎは最終フレーム）については段階的に圧縮率を小さくして圧縮する（３０２，３０３）。そして、最終フレームｎについては、所定の圧縮率で圧縮する（３０４）。
【００５３】
これにより、伝送並列処理を行うときよりも更に早くインターホン無線増設親機４で来客映像を表示でき、また、２フレーム目以降の映像信号は圧縮率が小さくなってゆくので、最終的には原画像に近い鮮明な来客映像を表示できるという利点がある。
（第３モードの実行）
以下、第３モードの実行について説明する。
【００５４】
インターホン親機２のモード選択スイッチ２６を操作して第３モードを選択すると、インターホン親機２の信号処理部２３は、自身を第３モードにセットするとともに、無線アダプタ３に対して、第３モード実行指令信号とを送出する。
【００５５】
図６は、インターホン親機２，無線アダプタ３の第３モード実行におけるフローチャートである。
【００５６】
図６（ａ）はインターホン親機２の動作を示しており、設定時刻になる度に（４００）、カメラ付ドアホン子器１を駆動させて、そこで撮影される映像信号を受信し、無線アダプタ３に転送する（４０１〜４０４）。
図６（ｂ）は無線アダプタ３の動作を示しており、インターホン親機２から映像信号、音声信号を受信し、バックアップ映像記憶手段３３に記憶させる（５００〜５０２）。
なお、無線アダプタ３は、インターホン親機２より第１モード実行指令信号を受けているので、インターホン親機２から、カメラ付ドアホン子器１の呼出に基づく呼出信号を受信したときには、先述した伝送並行処理を行う。
これにより、少なくとも、定期的に取得しておいた画像データが、無線アダプタへの最初の１フレーム目となり、無線アダプタとインターホン親機間の伝送能力に関係なく、インターホン無線増設親機での画像データの表示遅延時間の短縮が図れる。
（第４モードの実行）
以下、第４モードの実行について説明する。
インターホン親機２のモード選択スイッチ２６を操作して第４モードを選択すると、インターホン親機２の信号処理部２３は、自身を第４モードにセットするとともに、無線アダプタ３に対して、第４モード実行指令信号とを送出する。
このとき、無線アダプタ３は、図３のステップ１１１で１フレーム分の映像信号の蓄積が完了する前に、固定画記憶手段３４の固定画を第２伝送処理部３１より送出し、インターホン無線増設親機４で表示させる。
なお、インターホン無線増設親機４で表示させるべき固定画は、無線アダプタ３の固定画記憶手段３４ではなく、インターホン無線増設親機４０の固定画記憶手段の固定画であってもよい。
この場合、インターホン親機２の操作で第４モードを選択すれば、インターホン親機２から、無線アダプタ３、インターホン無線増設親機４に第４モード実行指令信号を送出し、無線アダプタ３には伝送並行処理を実行させ、インターホン無線増設親機４には、無線アダプタ３から映像信号受信するまでに、映像表示制御手段４５によって固定画を読み出させ、モニタ４３に表示させる。
【実施例２】
【００５７】
次に、第２の本発明について説明する。図７は、第２の本発明の基本構成の一例を示すブロック図である。
【００５８】
この第２の本発明は、第１の本発明の基本構成と比較して、インターホン親機２では、映像圧縮手段２０、圧縮率制御手段２１を設けていない点で相違する。
【００５９】
この第２の本発明では、先述の伝送並行処理を基本動作として行い、インターホン親機２のモード選択スイッチ２６を操作して、伝送並行処理を実行した上で、以下の第１，２のモードが選択的に実行できる。
【００６０】
（第１モードの実行）
インターホン親機２のモード選択スイッチ２６を操作すれば、信号処理部２３は、無線アダプタ３に第１モード実行指令信号を送出して第１モードを実行させる。
【００６１】
この第１モードにおいては、無線アダプタ３において、第１伝送処理部３０による映像信号変換処理と、第２伝送処理部３１による通話呼出処理とを並列的に実行開始させ、呼出操作に応じて撮影された映像信号の少なくとも第１フレームを映像信号変換処理して無線送出するまでの間は、固定画記憶手段３４から固定画を読み出して、無線フォーマット信号として無線送出させる。
【００６２】
すなわち、無線アダプタ３は、第１モードにおいては、第１の本発明の第４モードと同様の処理を行う。
【００６３】
（第２モードの実行）
インターホン親機２のモード選択スイッチ２６を操作して第２モードを選択すると、インターホン親機２の信号処理部２３は、自身を第２モードにセットするとともに、無線アダプタ３に対して、第２モード実行指令信号とを送出する。
【００６４】
すると、インターホン親機２では、映像定期取得転送手段２２は、カメラ付ドアホン子器１を定期的に駆動させて撮影動作をさせ、これに基づく映像信号を無線アダプタ３に転送する。
【００６５】
一方、無線アダプタ３は、この映像定期取得転送手段２２から映像信号を受信する毎に、バックアップ映像記憶手段３３に更新記憶し、カメラ付きドアホン子器１の呼出操作に基づく呼出信号をインターホン親機２から受信したときには、第１伝送処理部３０による映像信号変換処理と、第２伝送処理部３１による通話呼出処理とを並列的に実行開始させ、インターホン親機２より受信した、カメラ付ドアホン子器１の呼出操作に基づく映像信号を第２伝送部３１より送出する前に、バックアップ映像記憶手段３３に記憶している映像信号を、第２伝送部３１より無線アダプタ３に送出する。
【００６６】
すなわち、この第２モードにおいては、インターホン親機２，無線アダプタ３は、第１の本発明の第３モードと同様の動作を行う。
【００６７】
図８は、第２の本発明の基本構成の他例を示すブロック図である。この例では、インターホン親機２では、映像圧縮手段２０、映像圧縮率制御手段２２を更に設けている。
【００６８】
映像圧縮手段２０は、先述したように、カメラ付ドアホン子器１からの映像信号を所定の圧縮率で圧縮して圧縮映像信号を生成する。圧縮率制御手段２１は、映像圧縮手段における映像圧縮率を制御するものであり、先述した第１の本発明の図５、図６に示す映像圧縮処理のいずれかを行う。
【００６９】
なお、この例においても、モード選択スイッチ２６の選択操作により、上記第１，２のモードを選択的に実行できることはいうまでもなく、各々のモードを実行しつつ、これらの映像圧縮処理を行う。
【図面の簡単な説明】
【００７０】
【図１】第１の本発明の基本構成の一例を示すブロック図
【図２】第１の本発明の伝送並行処理の一例を示すタイムチャート
【図３】第１の本発明の伝送並行処理における無線アダプタの基本動作の一例を示すフローチャート
【図４】第１の本発明の第１モードにおけるインターホン親機の基本動作の一例を示すフローチャート
【図５】第１の本発明の第２モードにおけるインターホン親機の基本動作の一例を示すフローチャート
【図６】第１の本発明の第３モードにおけるインターホン親機と無線アダプタの基本動作の一例を示すフローチャート
【図７】第２の本発明の基本構成の一例を示すブロック図
【図８】第２の本発明の基本構成の他例を示すブロック図
【図９】従来の無線対応型インターホンシステムの基本動作を示すタイムチャート
【図１０】従来システムにおける無線アダプタの基本動作を示すフローチャート
【図１１】従来システムにおけるインターホン無線増設親機の基本動作を示すフローチャート
【符号の説明】
【００７１】
１  カメラ付ドアホン子器
２  インターホン親機
３  無線アダプタ
４  インターホン無線増設親機
２０  映像圧縮手段
２１  圧縮率制御手段
２２  映像定期取得転送手段
３０  第１伝送処理部
３１  第２伝送処理部
３２  伝送処理制御手段
３３  バックアップ映像記憶手段
３４，４０  固定画記憶手段
４５  映像表示制御手段
Ｌ  信号線
【図１】
2006311114.tif 000003
【図２】
2006311114.tif 000004
【図３】
2006311114.tif 000005
【図４】
2006311114.tif 000006
【図５】
2006311114.tif 000007
【図６】
2006311114.tif 000008
【図７】
2006311114.tif 000009
【図８】
2006311114.tif 000010
【図９】
2006311114.tif 000011
【図１０】
2006311114.tif 000012
【図１１】
2006311114.tif 000013